(57)【要約】【課題】被装飾部材の底表面部と縦、横の立上り部の三面が丸みを帯びて交差する曲面角部があっても、昇華転写の抜けが生じにくい転写装飾のための転写シート切断装置に関する。【解決手段】  被装飾部材１の底表面角部において、底表面部２より立ち上がる縦立ち上がり部３と横立ち上がり部４に対応して展開した転写シート５のその底表面対応部１２と縦立上り対応部１３、横立上り対応部１４を連接させると共に、縦立上り対応部１３と横立上り対応部１４との間に切込み６を設け、一方、縦立上り対応部１３からはそれを起ち上げた際に縦立上り部３の端部より突出する舌部７を設けてカットするための一連のカット刃３０であって、上記舌部７の底表面部２より遠ざかる縁部に対応して切り込み８を施すための補助刃１８を施して目的を達成できた。【選択図】図１
0003198010.tif 000002
【実用新案登録請求の範囲】
【請求項１】
浅い角皿形状の被装飾部材１の底表面角部において、底表面部２より立ち上がる縦立ち上がり部３と横立ち上がり部４に対応して展開した転写シート５のその底表面対応部１２と縦立上り対応部１３、横立上り対応部１４を連接させると共に、縦立上り対応部１３と横立上り対応部１４との間に切込み６を設け、一方、縦立上り対応部１３からはそれを起ち上げた際に縦立上り部３の端部より突出する舌部７を設けてカットするための一連のカット刃３０を基台３１より突設し、上記舌部７の底表面部２より遠ざかる縁部に対応して切り込み８を施すための補助刃１８を施して成る転写シート切断装置。
【請求項２】
浅い角皿形状の被装飾部材１の底表面角部において、底表面部２より立ち上がる縦立ち上がり部３と横立ち上がり部４に対応して展開した転写シート５のその底表面対応部１２と縦立上り対応部１３、横立上り対応部１４を連接させると共に、縦立上り対応部１３と横立上り対応部１４との間に切込み６を設け、一方、横立上り対応部１４からはそれを起ち上げた際に横立上り部４の端部より突出する舌部７を設けてカットするための一連のカット刃３０を基台３１より突設し、上記舌部７の底表面部２より遠ざかる縁部に対応して切り込み８を施すための補助刃１８を施して成る転写シート切断装置。
【請求項３】
切込み８を施すための補助刃１８を１つの舌部７に対して複数列施した請求項１又は２に記載の転写シート切断装置。
【考案の詳細な説明】
【技術分野】
【０００１】
本考案は、例えばスマートフォンやタブレットのような薄型電子機器の浅い角皿形状のケース（又はカバー）において、３面が湾曲して交差する角部であっても、模様が欠落することなく転写装飾できる湾曲角部の転写装飾方法に使用する転写シート切断装置に関するものである。
【背景技術】
【０００２】
例えばスマートフォンやタブレットのような薄型電子機器のケースの装飾は、成形時に同時に行うのが簡単であるが、少量の模様を多種用意して、ユーザーの様々な要望に対応するのには不向きである。
【０００３】
このような要望に応えるものとして昇華タイプの転写方法は、転写シートを少量印刷して簡単に必要な数量の装飾を施す手段としては最適である。そしてそのためには伸縮性の大きな樹脂ベースの転写シートを使用すれば良いが、樹脂ベースの転写シートはコストが高いので、安価な紙ベースの転写シートを使いたい要望が高い。ところが、紙ベースのものは安価であるが、伸びが殆どないため、三面が湾曲して交差する湾曲角部には追従し切れず、破れやすく、熟練工であっても歩留まりが悪く、コストの低減に繋がりにくい欠点があった。即ち、角部に経験と勘により切込みを入れ、それをピンセットなどの治具で摘まんで処理するのであるが、カット作業が極めて繊細である上に、カット後においても、貼付けの納まりが悪くなると、模様が欠落した分が生じたり、ずれたりして、商品価値が低下しやすい欠点があった。
【０００４】
【非特許文献１】http://www.sanryu.com/print/3d_system.htm（三次曲面 昇華転写システムの概略説明）
【考案の開示】
【考案が解決しようとする課題】
【０００５】
本考案は、スマートフォンやタブレットのような薄型電子機器の薄い角皿形状のケースの、曲面が三方向から交差する角部で、安価な紙ベースの転写シートを使っても、簡単にカットでき、模様が欠落することなく転写装飾できる湾曲角部の転写装飾方法に使用する転写シート切断装置に関するものである。
【課題を解決するための手段】
【０００６】
本考案は、第１には、薄い角皿形状の被装飾部材１の底表面角部において、底表面部２より立ち上がる縦立ち上がり部３と横立ち上がり部４に対応して展開した転写シート５のその底表面対応部１２と縦立上り対応部１３、横立上り対応部１４を連接させると共に、縦立上り対応部１３と横立上り対応部１４との間に切込み６を設け、一方、縦立上り対応部１３からはそれを立上げた際に縦立上り部３の端部より突出する舌部７を設けるもので、これらを転写シート５からカットするための一連のカット刃３０を基台３１より突設し、上記舌部７の底表面部２より遠ざかる縁部に対応して切り込み８を施すための補助刃１８を併せて施したものである。また第２には、舌部７を、縦立ち上がり部１３に代えて、横立上り対応部１４の端部より突出させたものであり、更に第３には、舌部７を切込み８を施すための補助刃１８を１つの舌部７に対して複数列施したことである。
【考案の効果】
【０００７】
本考案は、舌部７に切込み８を施すための補助刃１８を施してあるので、この切込み８のところで互いその先端部が重なって無理なく丸みに追従して密着するため、欠落することなく、丸みがあってもスムーズに追従して転写装飾が行えるのであるが、そのための転写シート５のカットを含めて一気に１工程で切り抜くことができる。
【０００８】
このような局面では、従来、一般に転写シートの基材をエラストマーや柔軟な合成樹脂フィルムを使うことにより対応することが考えられるが、本考案では高価な転写シートを使用せず、安価な紙ベースの転写シートを用いても無理なく曲面の印刷を歩留まり良く行えるので、コストを低減させることができる。従って、平面や２次的な曲面用の転写シートをそのまま３次的な曲面を有する被装飾部材であっても、材料を変更することなく同様に使用できる。
【０００９】
そして、そのようなカットは、レーザービームでも行うことは勿論可能であるが、それなりの高価な装置を要するが、本考案では、簡単な打ち抜き刃（所謂トムソン刃）であるので、装置のコストも安価な上、作業も転写シート５に宛てがって叩くだけで良いので、作業も簡単であり、カットされた転写シート５は、舌部７に切込み８が施され、これにより、熟練を要することなく、初心者であっても簡単かつ正確に角部に追従させて貼付け、転写を施すことができて、作業工程の向上を図ることができる。
【考案を実施するための形態】
【００１０】
本考案にあって、転写シート５は適宜基材、例えば紙や合成樹脂シートの基材に公知の昇華転写印刷で適宜の装飾を印刷したもので、図１のようにプレカットされる。そして本考案は所謂トムソン刃と称されるタイプのもので、図示のプレカットは、被装飾部材１がスマートフォン用のハードケースの装飾用の例を示す。
【００１１】
図の被装飾部材１は、見えない下面が装飾対象の底表面部２であり、図の底表面部２の相対向する長辺には縦立上り部３、３が立上り、それと直交して横立上り部４が形成されているが、それぞれの境界付近は丸みを帯びた局面で連なっている。幾つかの穴は、スイッチボタン、カメラレンズ、端子接続等のためのものである。
【００１２】
これに対してプレカットされた転写シート５は、底表面対応部１２の四周に縦立上り対応部１３、１３、横立上り対応部１４、１４が連出され、縦立上り対応部１３と横立上り対応部１４との間には切欠６が施される。また縦立上り対応部１３の端部からは舌部７が連出され、この舌部７の外縁には複数の切込み８、８・・・が施されている。これらのプレカットは、カット刃３０の打ち抜きにより形成される。カット刃３０は基板３１に所定の高さで刃が一筆書きのように刃部、即ち、縦立上り切断刃部２３、横立上り切断刃部２４、切欠切断刃部２６、舌部切断刃部２７が連なって形成され、且つ、舌部切断刃部２７には切込み８のための補助刃１８が１又は複数個施されている。そして、転写シート５は図２のように適宜作業台に１枚ずつ或いは数枚まとめて載せられ、本考案の切断装置を上方より矢印のように押し込んでプレカットされる。そして、舌部７に切込み８、８・・・が補助刃１８、１８・・・により、転写シート５のプレカット時に同時に施される。
【００１３】
本考案装置によりプレカットされた転写シート５は被装飾部材１の底表面部２に被せ、適所を折り曲げて仮止めした状態で加熱手段２０を有する炉２１に収納する。この時、被装飾部材１は下方を置台３２上の保持台３３に固定し、必要に応じて下方の吸引孔３４より減圧して転写シート５を被装飾部材１の底表面部２に密着さえ、この状態で加熱保持し、転写シート５の図柄が被装飾部材１の底表面に昇華転写される。
【００１４】
ここで切欠６は転写シート５の底表面対応部１２より縦立上り対応部１３と横立上り対応部１４をそれぞれ被装飾部材１の底表面から縦立上り部３、横立上り部４に無理なく湾曲させて追従させるためのものであり、舌部７とその切込み８は、更に縦立上り部３と横立上り部４の湾曲角部に縦立上り対応部１３と横立上り対応部１４を一部を互いに襞が重なるように重畳させて密着させ、浮いたり外れたりしないように三方から湾曲が交差する角部を確実に追従して覆い、転写装飾できるものである。ここで切込み８を舌部７の複数個所に施しておくと、三方からの湾曲の連なりの曲率半径が小さなものであっても、対応が可能となる。
【００１５】
また、上記例では、舌部７は縦立上り対応部１３より連出した例を示したが、横立上り対応部１４より連出させても良く、更には、縦立上り対応部１３から連出する舌部７と、横立上り対応部１４より連出する舌部７を混在（例えば交互に配置）させても構わない。
【産業上の利用可能性】
【００１６】
本考案は、三方から湾曲が連なって交差する角部を有する被装飾部材１の底表面部２を、基材が樹脂フィルムのように三次元凸部に沿って伸びるものではなく、伸びにくい紙基材の転写シート５を使う昇華転写であっても、その丸みを帯びた湾曲角部を、模様の欠けを生じることなく、美麗に装飾できるものであって、被装飾部材１としては、スマートフォンのハードケースの他、タブレット等の薄型電子機器のハードケース、その他立体的で湾曲部が入組んだ物品等の装飾を簡単に行えるものであって、殊に多品種少量のオンデマンドに好適であり、しかもプレカットは所謂トムソン型刃で行うので、熟練工でなくても歩留まり良く処理ができる。
【００１７】
尚、加工対象は上記では、スマートフォンのケースの装飾のためのものを例示したが、それに限定されるものではなく、三面が湾曲して連なる湾曲角部を有するものの転写シートによる装飾全般に活用できるものである。
【図面の簡単な説明】
【００１８】
【図１】本考案の一実施例の被装飾部材とプレカットした転写シートの概略斜視図。
【図２】同上のプレカットの一部断面とした概略観念図。
【図３】同上の転写の概略概念図。
【図４】同上の被装飾部材と転写シートの曲面部の位置関係を示す斜視図。
【図５】同上の被装飾部材と転写シートの曲面部の転写前の位置合わせの概略斜視図。
【図６】同上の作用説明図。
【符号の説明】
【００１９】
１は被装飾部材、２は底表面部、３は縦立上り部、４は横立上り部、５は転写シート、6は切欠、７は舌部、８は切込み、１２は底表面対応部、１３は縦立上り対応部、１４は横立上り該当対応部、１８は補助刃、３０はカット刃である。
【図１】
0003198010.tif 000003
【図２】
0003198010.tif 000004
【図３】
0003198010.tif 000005
【図４】
0003198010.tif 000006
【図５】
0003198010.tif 000007
【図６】
0003198010.tif 000008